(57)【特許請求の範囲】
【請求項１】
ファンネルの前方端にフラットパネルが封着されたフラットパネル型陰極線管の前記ファンネルと前記フラットパネルとの封止部を介して高電圧供給用手段が前記陰極線管の内部と外部とに渡って配された陰極線管で撮像状態を表示するカメラのビューファインダー装置において、
少なくとも、
前記陰極線管の撮像表示面外に設けられた情報表示面を有するディスプレイプレートと、
当該ディスプレイプレートの後方に配置されると共に前記情報表示面に対応する発光面を有するチップ型の発光素子が実装された基板と、
当該基板と前記フラットパネルとの間に設けられた絶縁部材と、
前記フラットパネルを前記ファンネル側に押圧するパネル押さえと前記ファンネルを保持するファンネル押さえとで構成される保護マスクと、
を有し、
前記保護マスクに高電圧供給手段収納部を設けると共に、前記パネル押さえに前記絶縁部材と前記基板と前記ディスプレイプレートとを固定したカメラのビューファインダー装置。
【請求項２】
前記絶縁部材は、前記保護マスクの一部であることを特徴とする請求項１記載のカメラのビューファインダー装置。
【請求項３】
前記パネル押さえは陰極線管の画面に対応した４角の窓を有し、前記絶縁部材は前記高電圧供給手段収納部を有する１辺にのみ設けられていることを特徴とする請求項１、又は２記載のカメラのビューファインダー装置。
【発明の詳細な説明】
【０００１】
【発明の属する技術分野】
本発明はカメラのビューファインダー装置に関するものである。
【０００２】
【従来の技術】
図１および図２は、ビューファインダー装置に使用される小型の陰極線管の代表的な構造を示すもので図１は完成斜視図、図２は高電圧供給端子付近の断面図である。ファンネル１の前方端にはフリットガラス４によりフラットパネル２が封着されている。封止部の一部に高電圧供給端子３が挟み込まれて封着されている。陰極線管内の高電圧供給端子３はフラットパネル２内面に形成された導電性被膜５とファンネル１内面に形成された導電性被膜７と接触している。導電性被膜５、７は一般にカーボンを主体にした物であり、フラットパネル２に形成された被膜５は陰極線管の表示面の枠の役割を兼ねている。枠の内側には蛍光体６が塗布されている。
【０００３】
前記の陰極線管を使用したカメラ用のビューファインダー装置の一例が特開平５−２９２３６２号公報に開示されている。図３は開示されたビューファインダー装置を分解して示す断面図であり、図４は表示側から見た正面図である。陰極線管のパネル側には保護マスク１５が装着されている。陰極線管の撮像表示面外には情報表示面を有するディスプレイプレート１４、スぺーサー１２、前記情報表示面に対応する発光面を有するチップ型の発光素子９、１０、１１を実装した基板８を有し、保護マスク１５にネジ等で固定されている。
【０００４】
図５は本発明に係わるカメラのビューファインダーの高電圧供給端子部の側面部分断面図であり、図７は基板、スぺーサー、ディスプレイプレートを組立てた高電圧供給端子部付近の拡大図、図６はパネル押さえ側から見た正面図である。保護マスクはパネル押さえとファンネル押さえで構成されており、パネル押さえとファンネル押さえで高電圧供給端子の収納部が形成されている。
【０００５】
保護マスクはパネル押さえ１５ａとファンネル押さえ１５ｂで構成されている。パネル押さえ１５ａはフラットパネル２の前面を４つの突起部で押さえ、ファンネル押さえ１５ｂはパッキン１６を介してファンネル１を押さえる構造であり、パネル押さえ１５ａとファンネル押さえ１５ｂをネジ等で固定することにより保護マスクとして一体化されている。前記突起部は表示面の枠である導電性被膜５の上面に被さるが、蛍光体６にはかからない大きさである。高電圧供給端子３はパネル押さえ１５ａとファンネル押さえ１５ｂで形成された高電圧供給端子収納部１５ｃに収納され、高電圧供給ケーブル（不図示）により高電圧が供給される。
【０００６】
パネル押さえ１５ａおよびフラットパネル２の前面にはチップ型の発光素子１０を搭載した基板８ａ、スぺーサー１２ａ、ディスプレイプレート１４ａが組立てられる。図８はチップ型の発光素子９、１０、１１を搭載した基板８ａの正面図である。両面基板であり、上下の配線パターンはスルーホールにて接続されている。
【０００７】
【発明が解決しようとする課題】
ビューファインダーは小型であるため画面の周囲に配置される発光素子９、１０、１１を実装した基板８ａは配線密度が高くなり、両面基板が使用されている。基板８ａのＢ部と高電圧供給端子３のＡ部がパネル２の外面とファンネル押さえ１５ａの隙間を介して対向している構造のため高電圧供給端子３に高電圧が印加されると、基板８ａのパターンＢ部と高電圧供給端子３のＡ部間の電位差が大きくなり両者間で放電が起こる。
【０００８】
通常の大気圧では放電は起こらないが、高所で圧力が低下すると放電するものが発生することがあった。例えば標高５０００ｍになると圧力は５３％、標高８０００ｍでは３５％まで低下する。両者の距離（電極間距離）、電極形状等により放電開始電圧は変化するが、前記のようなビューファインダーにおいて、電極間距離が約４ｍｍ、電位差６０００Ｖの場合、気圧５４０ｍｂで放電を開始するものがあった。標高にして５０００ｍであり、高所でのカメラの使用に支障をきたすことがあった。
【０００９】
【課題を解決するための手段】
少なくとも、ファンネルの前方端にフラットパネルが封着されたフラットパネル型陰極線管の前記ファンネルと前記フラットパネルとの封止部を介して高電圧供給用手段が前記陰極線管の内部と外部とに渡って配された陰極線管で撮像状態を表示するカメラのビューファインダー装置において、前記陰極線管の撮像表示面外に設けられた情報表示面を有するディスプレイプレートと、当該ディスプレイプレートの後方に配置されると共に前記情報表示面に対応する発光面を有するチップ型の発光素子が実装された基板と、当該基板と前記フラットパネルとの間に設けられた絶縁部材と、前記フラットパネルを前記ファンネル側に押圧するパネル押さえと前記ファンネルを保持するファンネル押さえとで構成される保護マスクとを有し、前記保護マスクに高電圧供給手段収納部を設けると共に、前記パネル押さえに前記絶縁部材と前記基板と前記ディスプレイプレートとを固定したカメラのビューファインダー装置とする。
【００１０】
前記絶縁部材は、前記保護マスクの一部であるカメラのビューファインダー装置とする。また、前記パネル押さえは陰極線管の画面に対応した４角の窓を有し、前記絶縁部材は前記高電圧供給手段収納部を有する１辺にのみ設けられているカメラのビューファインダー装置とする。
【００１１】
【発明の実施の形態】
図９は本発明の第一実施形態を示すビューファインダーの部分断面図である。保護マスクはファンネル押さえ２０とパネル押さえ（不図示）で構成され、パネル押さえ２０には基板８ａ、スぺーサー、ディスプレイパネルが固定され一体化されている。ファンネル押さえ２０には基板８ａとフラットパネル２の間に入り込む庇部２０ａが一体に形成されている。庇部２０ａにより高電圧供給端子のＡ部と基板８ａ間が絶縁されている。
【００１２】
本発明の第二実施形態は、基板８ａの配線パターンおよびスルーホールの表面を絶縁部材で被覆するものである。一般に配線パターンは被覆されているが、スルーホール部は基板の検査に使用されるので露出しているが、スルホール部も被覆をする。被覆の厚さは絶縁破壊を考慮して決めればよい。
【００１３】
本発明の第三実施形態としては、基板８ａの配線パターンおよびスルーホールと高電圧供給端子３のＡ部を電気的に遮断するよう基板８ａとフラットパネル２およびパネル押さえの間に絶縁部材を設ける。絶縁部材の厚さは絶縁破壊を考慮して決めればよい。
【００１４】
それぞれの実施形態において、パネル押さえの４つの辺のうち、高電圧供給端子が在る辺だけに絶縁部材を設ける。基板と高電圧供給端子間での放電防止であるから、高電圧供給端子の在る辺以外の３辺は部材を増やさないことで重量増を最小限にすることができる。
【００１５】
【発明の効果】
基板と高電圧供給端子間に絶縁部材を設けることで高電圧供給端子に高電圧を供給しても放電の発生を防止することができ、気圧の低い高所でもカメラの使用に支障を来すことはなくなった。
【００１６】
絶縁部材を必要である１辺のみに設けたので、絶縁部材による重量増を最小限にできる。
【図面の簡単な説明】
【図１】ビューファインダー装置に使用される小型の陰極線管の代表的な構造を示すもので完成斜視図。
【図２】ビューファインダー装置に使用される小型の陰極線管の代表的な構造を示すもので高電圧供給端子付近の断面図。
【図３】従来技術によるビューファインダー装置を分解して示す断面図。
【図４】従来技術によるビューファインダー装置を表示側から見た正面図。
【図５】本発明に係わるカメラのビューファインダーの高電圧供給端子部の側面部分断面図。
【図６】本発明に係わるカメラのビューファインダーをパネル押さえ側から見た正面図。
【図７】基板、スぺーサー、ディスプレイプレートを組立てた高電圧供給端子部付近の拡大図。
【図８】チップ型の発光素子９、１０、１１を搭載した基板８ａの正面図。
【図９】本発明の第一実施形態を示すビューファインダーの部分断面図。
【符号の説明】
１      ファンネル
２      フラットパネル
３      高電圧供給端子
４      フリットガラス
５      導電性被膜
６      蛍光体
７      導電性被膜
８      基板
８ａ    基板
９      チップ型の発光素子
１０    チップ型の発光素子
１１    チップ型の発光素子
１２    スぺーサー
１２ａ  スぺーサー
１３    ネジ
１４    ディスプレイパネル
１４ａ  ディスプレイパネル
１５    保護マスク
１５ａ  パネル押さえ
１５ｂ  ファンネル押さえ
１５ｃ  高電圧供給手段収納部
１６    パッキン
２０    パネル押さえ
２０ａ  パネル押さえの庇部
【図１】
0003597394.tif 000002
【図２】
0003597394.tif 000003
【図３】
0003597394.tif 000004
【図４】
0003597394.tif 000005
【図５】
0003597394.tif 000006
【図６】
0003597394.tif 000007
【図７】
0003597394.tif 000008
【図８】
0003597394.tif 000009
【図９】
0003597394.tif 000010